(57)【要約】【課題】バッテリの充電完了等の充電情報を使用者に確実に報知できるようにすることを目的とする。【解決手段】本発明に係る充電装置は、電動工具のバッテリ２２を充電するための充電装置１０であって、バッテリ２２の充電を制御する充電制御手段３４と、充電制御手段３４からの信号に基づいて携帯電話４０ａを制御可能に構成された携帯電話制御手段４１とを有することを特徴とする。【選択図】図１
2008086065.tif 000002
【特許請求の範囲】
【請求項１】
電動工具のバッテリを充電するための充電装置であって、
バッテリの充電を制御する充電制御手段と、
前記充電制御手段からの信号に基づいて携帯電話を制御可能に構成された携帯電話制御手段と、
を有することを特徴とする充電装置。
【請求項２】
請求項１に記載された充電装置であって、
携帯電話制御手段は、充電制御手段から伝送された前記バッテリの充電に関する情報を携帯電話に伝送可能に構成されていることを特徴とする充電装置。
【請求項３】
請求項１又は請求項２のいずれかに記載された充電装置であって、
携帯電話制御手段は、携帯電話が指定番号の電話機に発信することを指令する発信指令信号を充電完了時にその携帯電話に対して出力可能に構成されていることを特徴とする充電装置。
【請求項４】
請求項２又は請求項３のいずれかに記載された充電装置であって、
携帯電話制御手段は、携帯電話が指定番号の機器にデータ送信することを指令するデータ送信指令信号をその携帯電話に対して予め設定された時間に出力可能に構成されていることを特徴とする充電装置。
【請求項５】
請求項１から請求項４のいずれかに記載された充電装置であって、
携帯電話制御手段は、携帯電話がオーディオ機能により音楽を鳴らすことを指令する指令信号を充電完了時にその携帯電話に対して出力できるように構成されていることを特徴とする充電装置。
【発明の詳細な説明】
【技術分野】
【０００１】
本発明は、電動工具のバッテリを充電するための充電装置に関する。
【背景技術】
【０００２】
電動工具に関する上記した充電装置としては、例えば、特許文献１に示すものが知られている。
特許文献１に係る充電装置は、発音部を備えており、バッテリの充電が完了したときに、音声を発するように構成されている。このため、使用者が充電装置から離れて作業をしているときでも、音声によりバッテリの充電完了を認識できるようになる。
【０００３】
【特許文献１】特開平９−２８０４４号公報
【発明の開示】
【発明が解決しようとする課題】
【０００４】
しかし、現場の騒音が大きい場合や充電装置から遠く離れた場所で作業している場合には、充電完了時の音声が聞こえない場合がある。また、発光ダイオード等で充電完了を報知する方法もあるが充電装置が目視できない場所にある場合には、充電完了を見過ごすことがある。
【０００５】
本発明は、上記問題点を解決するためになされたものであり、本発明が解決しようとする課題は、バッテリの充電完了等の充電情報を使用者に確実に報知できるようにすることである。
【課題を解決するための手段】
【０００６】
上記した課題は、各請求項の発明によって解決される。
請求項１の発明は、電動工具のバッテリを充電するための充電装置であって、バッテリの充電を制御する充電制御手段と、前記充電制御手段からの信号に基づいて携帯電話を制御可能に構成された携帯電話制御手段とを有することを特徴とする。
【０００７】
本発明によると、携帯電話制御手段は、バッテリの充電を制御する充電制御手段からの信号に基づいて携帯電話を制御できるように構成されている。このため、充電制御手段から例えば充電完了等の情報が出力されると、携帯電話が携帯電話制御手段の働きで充電完了等の情報に基づいて動作するようになる。したがって、使用者は、騒音が大きな場所等で充電装置が使用されている場合でも、携帯電話を介して確実にバッテリの充電状態を知ることができる。
【０００８】
請求項２に係る発明によると、携帯電話制御手段は、充電制御手段から伝送された前記バッテリの充電に関する情報を携帯電話に伝送可能に構成されていることを特徴とする。
このため、使用者は携帯電話を介してバッテリの充電に関する情報、即ち、充電完了情報、充電エラーの発生情報、充電完了時間、充電エラーの発生時間等を把握できるようになる。
【０００９】
請求項３に係る発明によると、携帯電話制御手段は、携帯電話が指定番号の電話機に発信することを指令する発信指令信号を充電完了時にその携帯電話に対して出力可能に構成されていることを特徴とする。
請求項４に係る発明によると、携帯電話制御手段は、携帯電話が指定番号の機器にデータ送信することを指令するデータ送信指令信号をその携帯電話に対して予め設定された時間に出力可能に構成されていることを特徴とする。
このため、使用者が現場以外の場所に居るときでもバッテリの充電完了等の情報を把握できるようになる。
なお、「指定番号」には、電話番号のみならずメールアドレス等も含まれるものとする。
請求項５の発明によると、携帯電話制御手段は、携帯電話がオーディオ機能により音楽を鳴らすことを指令する指令信号を充電完了時にその携帯電話に対して出力できるように構成されていることを特徴とする。
このため、携帯電話のオーディオ機能による音楽でバッテリの充電完了を報知できるようになり、他の充電装置と報知音の区別化を図ることができる。
【発明の効果】
【００１０】
本発明によると、バッテリの充電情報を使用者に確実に報知できるようになる。
【発明を実施するための最良の形態】
【００１１】
（実施形態１）
以下、図１から図５に基づいて、本発明の実施形態１に係る充電装置の説明を行なう。本実施形態に係る充電装置は、電動工具に使用されるバッテリの充電装置である。ここで、図１は実施形態１に係る充電装置の回路構成を表すブロック図であり、図２は充電装置を構成する充電器、及び電池パックの斜視図である。図３〜図５は充電装置の動作を表すフローチャートである。
【００１２】
＜充電装置１０及び電池パック２０について＞
充電装置１０は、図１に示すように、電動工具（図示省略）のバッテリ２２を収納する電池パック２０と、前記バッテリ２２の充電を行なう充電器３０とから構成されている。
電池パック２０は角形をした密閉容器であり、図２に示すように、前記電動工具、あるいは充電器３０に連結される連結部２５を備えている。そして、その連結部２５の所定位置にバッテリ用のコネクタＣＮ１が設けられている。コネクタＣＮ１には、図１に示すように、バッテリ２２用の＋、−端子が設けられている。
電池パック２０は、連結部２５が電動工具の電池パック接続部（図示省略）に連結されことで、前記電動工具と一体化される。そして、この状態で、電池パック２０のコネクタＣＮ１（＋、−端子）と前記電動工具の電気回路のコネクタ（図示省略）とが電気的に接続される。これにより、電動工具をバッテリ２２の電力で駆動できるようになる。
【００１３】
＜充電器３０について＞
充電器３０は、図２に示すように、箱形のハウジング３０ｘを備えており、そのハウジング３０ｘの上面右側に電池パック２０との連結部３５が形成されている。そして、その連結部３５の所定位置に充電用コネクタＣＮ２が設けられている。充電用コネクタＣＮ２には、図１に示すように、電池パック２０のコネクタＣＮ１と同様に、バッテリ用の＋、−端子が設けられている。これにより、図２に示すように、充電器３０の連結部３５に対して電池パック２０の連結部２５が後方から前方にスライドさせられることにより、充電器３０の連結部３５と電池パック２０の連結部２５とが嵌合し、両者２５，３５が連結される。そして、充電器３０の連結部３５と電池パック２０の連結部２５とが連結されることで、電池パック２０のバッテリ用のコネクタＣＮ１と充電器３０の充電用コネクタＣＮ２とが電気的に接続される。
【００１４】
充電器３０は、図１に示すように、電源コード３０ｒを備えており、その電源コード３０ｒのプラグが家庭用のＡＣ（交流）電源のコンセント（図示省略）に差し込み可能に構成されている。電源コード３０ｒは充電器３０の直流電源装置３１の入力端子３１ａ，３１ｂに接続されている。
直流電源装置３１は、交流の電源を二種類の直流電源、即ち、バッテリ充電用の第１直流電源（Ｖｐボルト電源）と、制御電源用の第２直流電源（Ｖｃボルト電源）とに変換するための装置である。
第１直流電源（Ｖｐボルト電源）は、直流電源装置３１の第１出力端子３１ｐ，Ｅから出力され、ＣＰＵ３４（後記する）で制御されるスイッチ３６を介して充電用コネクタＣＮ２の（＋、−端子）に接続されている。なお、符号Ｅはアース端子を表している。このため、充電器３０の充電用コネクタＣＮ２と電池パック２０のバッテリ用のコネクタＣＮ１とが接続され、さらに前記スイッチ３６がオンした状態で、直流電源装置３１の第１直流電源と電池パック２０のバッテリ２２とが電気的に接続されて充電が行なわれる。
直流電源装置３１の第２直流電源（Ｖｃボルト電源）は、第２出力端子３１ｃ，Ｅを介して制御用電源装置３３に接続されている。制御電源装置３３は、ＣＰＵ３４、携帯電話制御部４１等の定電圧電源として使用される。
【００１５】
ＣＰＵ３４は、図示されていないメモリに格納されているプログラムに基づいてバッテリ２２の充電制御等を行なう部分である。このため、ＣＰＵ３４は、バッテリ２２の履歴情報、温度情報及び電圧等によりそのバッテリ２２の充電状態を監視できるように構成されている。そして、充電完了と判定したときに前記スイッチ３６をオフにしてバッテリ２２の充電を停止する。さらに、充電完了を表すＬＥＤ（Ｒ０）を発光させる。
また、ＣＰＵ３４は、バッテリ情報記憶部４３にバッテリ２２の履歴情報等のデータや、バッテリ２２の充電に関する情報を格納する。ここで、バッテリ２２の充電に関する情報（充電情報）とは、バッテリ２２（電池パック２０）を充電器３０に装着し、充電を開始したことにより得られる全ての情報をいう。例えば、充電が異常なく完了した情報、充電完了前に充電器３０から電池パック２０を外した情報、充電エラーが発生したという情報、及び充電完了の時刻の情報等をいう。
また、ＣＰＵ３４は、バッテリ２２の充電中に充電情報を携帯電話制御部４１に伝送する。
【００１６】
＜携帯電話制御部４１について＞
携帯電話制御部４１（図１参照）は、ＣＰＵ３４からの信号に基づいて市販の携帯電話４０ａを制御する部分である。例えば、携帯電話制御部４１は、ＣＰＵ３４から充電完了信号を受け、携帯電話４０ａに対して指定番号の携帯電話４０ｂに発信を行なわせる信号（発信指令信号）を出力することができる。また、携帯電話制御部４１は、ＣＰＵ３４から伝送されたバッテリ２２の充電情報を携帯電話４０ａに伝送することができる。さらに、携帯電話制御部４１は、前記携帯電話４０ａが充電情報のデータを指定番号の携帯電話４０ｂ、あるいはパソコンにデータ送信するように、その携帯電話４０ａに対してデータ送信指令信号を出力できるように構成されている。
携帯電話制御部４１は、図１に示すように、コネクタ４５、専用ケーブル４４を介して携帯電話４０ａのコネクタ４０ｃと接続される。
即ち、ＣＰＵ３４が本発明の充電制御手段に相当し、携帯電話制御部４１が本発明の携帯電話制御手段に相当する。
【００１７】
＜本実施形態に係る充電装置１０の動作について＞
次に、図３に示すフローチャートに基づいて本実施形態に係る充電装置１０の動作について説明する。ここで、図３のフローチャートに基づく処理は、ＣＰＵ３４のメモリに格納されているプログラムに従って実行される。
先ず、図１に示すように、充電器３０のコネクタ４５に専用ケーブル４４が接続され、その専用ケーブル４４が携帯電話４０ａのコネクタ４０ｃに接続される。これにより、充電器３０の携帯電話制御部４１と携帯電話４０ａとが電気的に接続される。次に、携帯電話４０ａの操作により連絡先の携帯電話４０ｂの電話番号がセットされる（図３  ステップＳ１０１）。なお、連絡先の携帯電話４０ｂは充電装置１０の使用者が保持する。この状態で、充電準備が完了する。
次に、充電器３０の電源コード３０ｒのプラグがＡＣ（交流）電源のコンセントに挿入されて電源が投入される。なお、連絡先の携帯電話４０ｂの電話番号をセットする前に、充電器３０の電源を投入することも可能である。
次に、充電器３０の連結部３５に対して電池パック２０の連結部２５が連結されることで、充電器３０の充電用コネクタＣＮ２と電池パック２０のコネクタＣＮ１とが接続される。
【００１８】
次に、バッテリ情報記憶部４３に格納されているバッテリ情報と、バッテリ温度計（図示省略）の温度情報がＣＰＵ３４に読み込まれる。さらに、ＣＰＵ３４がバッテリ２２の電圧を検知することで充電器３０と電池パック２０との連結が確認されると、スイッチ３６がオンし、直流電源装置３１の第１直流電源の電圧が電池パック２０のバッテリ２２に印加される。即ち、バッテリ２２の充電が開始される（ステップＳ１０２）。この状態で、時間が経過し、バッテリ２２の充電が完了するとスイッチ３６がオフする（ステップＳ１０４）。そして、バッテリ２２の充電完了が検出されると（ステップ１０６  ＹＥＳ）、携帯電話制御部４１は携帯電話４０ａに対して発信指令信号を出力する。これにより、携帯電話４０ａは指定番号の携帯電話４０ｂに対して発信を行なう（ステップＳ１０７）。
この結果、指定番号の携帯電話４０ｂの呼び出し音が鳴り、充電装置１０の使用者は現場以外の場所でもバッテリ２２の充電完了を確実に知ることができる。なお、指定番号の携帯電話４０ｂの呼び出し音により充電完了を知っても、その携帯電話４０ｂに出ないようにすれば、通信料金は発生しない。さらに、携帯電話４０ａ，４０ｂに付加されているナビゲーション機能を使用すれば、連絡先の携帯電話４０ｂで充電器３０及び携帯電話４０ａの位置を確認できる。このため、事務所から現場の充電器３０を監視することも可能になる。
【００１９】
＜本発明に係る充電装置１０の長所について＞
本発明に係る充電装置１０によると、携帯電話制御部４１は、バッテリ２２の充電を制御するＣＰＵ３４からの信号に基づいて携帯電話４０ａを制御できるように構成されている。即ち、携帯電話制御部４１は、ＣＰＵ３４からの充電完了の情報に基づいて、携帯電話４０ａが指定番号の携帯電話４０ｂに発信することを指令する発信指令信号をその携帯電話４０ａに対して出力可能に構成されている。このため、使用者は、騒音の大きな場所で充電装置１０が使用されている場合であっても、確実にバッテリ２２の充電完了を把握できる。さらに、使用者が現場以外の場所にいるときにもバッテリ２２の充電完了を知ることができる。
なお、本実施形態では、充電完了時に携帯電話制御部４１が携帯電話４０ａに対して発信指令信号を出力する例を示したが、充電エラー時に発信指令信号を出力するような構成も可能である。
【００２０】
＜変更例＞
ここで、本発明は上記実施形態に限定されるものではなく、本発明の要旨を逸脱しない範囲における変更が可能である。例えば、本実施形態では、充電完了時に携帯電話４０ａから連絡先の携帯電話４０ｂに発信する例を示したが、図４に示すように、充電完了時に充電器３０に接続された携帯電話４０ａの着信音やオーディオ機能により音楽を鳴らすことも可能である。
即ち、充電の準備段階として、図４のステップＳ１１１に示すように、携帯電話４０ａを操作して充電完了時に鳴らすことを希望する着信音や音楽等を選択する。これにより、バッテリ２２の充電完了が検出されて（ステップＳ１１５、ステップＳ１１７  ＹＥＳ）、携帯電話制御部４１が携帯電話４０ａに対して着信音指令信号を出力すると、携帯電話４０ａは選択した着信音、あるいはオーディオ機能により音楽を鳴らすようになる（ステップＳ１１９）。この結果、他の充電装置の報知音との区別化を図ることができる。なお、充電器３０に接続された携帯電話４０ａの着信音等を鳴らすだけの構成であれば、携帯電話会社と契約していない携帯電話（電話番号のない携帯電話）を使用することも可能である。
【００２１】
また、図５に示すように、充電器３０に接続された携帯電話４０ａから連絡先の携帯電話４０ｂ、あるいはパソコンにバッテリの充電情報をデータ送信することも可能である。
即ち、携帯電話制御部４１がＣＰＵ３４から伝送されたバッテリの充電情報を検出すると（ステップＳ１２１、ステップＳ１２２  ＹＥＳ）、充電情報がデータ化されて携帯電話４０ａのメモリに蓄積される（ステップＳ１２３、ステップＳ１２４）。そして、指定された時間に（ステップＳ１２５、ステップＳ１２６  ＹＥＳ）、携帯電話制御部４１が携帯電話４０ａに対してデータ送信指令信号を出力する。これを受けて、携帯電話４０ａはメモリに蓄積されている充電情報のデータを連絡先の携帯電話４０ｂ、あるいはパソコンにデータ送信する（ステップＳ１２７）。
【００２２】
これによって、充電装置１０の使用者は現場以外の場所、例えば、事務所等でバッテリ２２の充電情報、即ち、充電完了情報、充電エラーの発生情報、充電完了時間、充電エラーの発生時間等を把握できるようになる。
なお、本実施形態では、携帯電話制御部４１やバッテリ情報記憶部４３を充電器３０側に設ける例を示したが、電池パック２０側に設けることも可能である。
また、本実施形態では、携帯電話４０ａで連絡先の携帯電話４０ｂ等の電話番号やメールアドレスを入力する例を示したが、携帯電話制御部４１に電話番号（メールアドレス）を入力できる操作部を設けることも可能である。
【図面の簡単な説明】
【００２３】
【図１】本発明の実施形態１に係る充電装置の回路構成を表すブロック図である。
【図２】充電装置を構成する充電器、及び電池パックの斜視図である。
【図３】本実施形態に係る充電装置の動作を表すフローチャートである。
【図４】本実施形態に係る充電装置の動作を表すフローチャートである。
【図５】本実施形態に係る充電装置の動作を表すフローチャートである。
【符号の説明】
【００２４】
２０      電池パック
２２      バッテリ
３０      充電器
３４      ＣＰＵ（充電制御手段）
４０ａ    携帯電話
４０ｂ    携帯電話（電話機）
４１      携帯電話制御部（携帯電話制御手段）
【図１】
2008086065.tif 000003
【図２】
2008086065.tif 000004
【図３】
2008086065.tif 000005
【図４】
2008086065.tif 000006
【図５】
2008086065.tif 000007